(57)【要約】【課題】作業性及び作業効率を良くし、かつ、その施工の際に直線性を出しやすくした壁面補強擁壁材とすること。【解決手段】連結具４０の巻回保持部４３によって１ターン以上の巻回状態のピッチＰ間に、下面網部１０の端部相互間及び立ち上げ網部２０の端部相互間を挿入し、それを略９０度回動し、網面の網桟に係止部４２を弾性係合することができる。そして、連結具４０を解除する場合には、係止部４０の弾性係合を解き、それを略９０度回動し、巻回保持部４３のピッチＰ間から下面網部１０の端部相互間及び立ち上げ網部２０の端部相互間を離すことができる。また、下面網部１０の端部相互間及び立ち上げ網部２０の端部相互間のガタツキが、巻回保持部４３の１ターンの巻回径内に限られるから、下面網部１０及び立ち上げ網部２０の直線性が出しやすい。【選択図】図１
2010121309.tif 000002
【特許請求の範囲】
【請求項１】
複数層に盛土を積載する網面を形成してなる下面網部と、
前記下面網部との間を鋭角の面として立ち上げ、前記盛土がこぼれだすのを防止する網面を形成してなる立ち上げ網部と、
前記下面網部の端部相互間及び立ち上げ網部の端部相互間を連結する前記連結具を具備する壁面補強擁壁材において、
前記連結具は、前記下面網部の端部相互間及び立ち上げ網部の端部相互間を重ね合わせた状態で１ターン以上の巻回状態が維持される一端部に形成された巻回保持部及び前記巻回保持部から連続形成し、その他端部が前記網面の網桟に弾性係合するように形成された係止部を有し、全体が弾性体でなることを特徴とする壁面補強擁壁材。
【請求項２】
複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間とを連結する壁面補強擁壁材の連結具において、
前記連結具は、前記下面網部の端部相互間及び立ち上げ網部の端部相互間を重ね合わせた状態で１ターン以上の巻回状態が維持される一端部に形成された巻回保持部及び前記巻回保持部から連続形成し、その他端部が前記網面の網桟に弾性係合するように形成された係止部を有し、全体が弾性体で形成されたことを特徴とする壁面補強擁壁材の連結具。
【請求項３】
前記連結具の１ターン以上の巻回状態が維持される一端部に形成された巻回保持部は、そのピッチを前記下面網部の端部相互間または立ち上げ網部の端部相互間の略断面積を収容できる略α状とし、かつ、先端を略クランク状または略コ字状に折曲させたことを特徴とする請求項１または請求項２に記載の壁面補強擁壁材または壁面補強擁壁材の連結具。
【請求項４】
前記連結具の前記網面の網桟に弾性係合するように形成された係止部は、略クランク状または略コ字状に折曲させたことを特徴とする請求項１乃至請求項３の何れか１つに記載の壁面補強擁壁材または壁面補強擁壁材の連結具。
【請求項５】
前記連結具の１ターン以上の巻回状態が維持される一端部に形成された略α状の巻回保持部は、１ターン以上、２ターン以下としたことを特徴とする請求項３または請求項４の何れかに記載の壁面補強擁壁材または壁面補強擁壁材の連結具。
【請求項６】
前記連結具は、複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間、下側の立ち上げ網部と上側の立ち上げ網部の網桟相互間とを単一の形状で接続することを特徴とする請求項１乃至請求項５の何れか１つに記載の壁面補強擁壁材または壁面補強擁壁材の連結具。
【請求項７】
前記連結具は、全体を丸線材、角線材、平線材の何れか１つとしたことを特徴とする請求項１乃至請求項６の何れか１つに記載の壁面補強擁壁材または壁面補強擁壁材の連結具。
【発明の詳細な説明】
【技術分野】
【０００１】
本発明は、特に、急勾配盛土の法面、即ち、擁壁の補強を行う壁面補強擁壁材及びその連結具に関するもので、詳しくは、金属製の壁面補強材相互間を接続する金属製の壁面補強擁壁材及びその連結具に関するものである。
【背景技術】
【０００２】
従来、盛土等における壁面の補強には、土のうやコンクリート枠等が用いられてきたが、近年は、金網を法面に配置して補強するとともに金網の上に植生して緑化している。
例えば、特許文献１は、壁面の表層部に設置して地盤を補強するための壁面補強部材が開示されている。当該壁面補強部材は、網部材とその周囲を縁取りする枠部材とからなり、側面視がコ字状となされ、かつ、少なくともコ字状の上辺を構成する枠部材が回転自在に接続されている。
【０００３】
特許文献１は、左右の隣り合う壁面補強部材の枠部材相互をコイル状連結部材で連結するとともに、壁面補強部材のコ字状の上辺に取り付けたコイル状連結部材の巻きピッチを網目状の地盤補強部材の網目ピッチの定倍とすることにより両者を嵌め合わせ、かつ、上側の壁面補強部材の底辺と連結し、前記コイル状連結部材に棒状部材を差し込むことによって、壁面補強部材と網目状の地盤補強部材、上側の壁面補強部材とを連結し、壁面補強部材のコ字状の縦辺部内面に、前記縦辺部を構成している網部材より目の細かいメッシュ状シート、植生シートを配設した擁壁構造を呈している。
【特許文献１】特開２０００−２７３８６８
【発明の開示】
【発明が解決しようとする課題】
【０００４】
しかしながら、上記特許文献１のコイル状連結部材は、最下段の壁面補強部材の上辺を構成する網部材と底辺を構成する網部材とが重なり合い、中段から上側の補強は、下段の壁面補強部材の上辺とその上の壁面補強部材の底辺とをコイル状連結部材で連結し、網目状地盤補強材をコイル状連結部材に嵌め込んで、棒状部材を挿入して外れ止めとする旨記載され、また、上記特許文献１の図には、コイル状連結部材が概念的に示されているに留まるものである。
【０００５】
このように、上記特許文献１のコイル状連結部材は、左右の壁面補強部材相互間の接続にも、当該コイル状連結部材が使用されていると推認される。
ところが、コイル状連結部材は、左右の壁面補強部材相互間の網桟をコイル状の円内に収容するものであるから、組み付け時に、コイル状連結部材を何十回転と回転させる必要があり、作業効率が良くなかった。また、そのコイル円内は自在に網桟が移動できるから、ガタツキがあり、施工の際に直線性を出すには、再三の微調整が必要であった。
【０００６】
そこで、近年では、図１０に示すように、Ｕ字状ボルトＣを使用したワイヤクリップを利用して、左右の壁面補強部材相互間の網桟Ａと網桟Ｂとを締め付けている。
図１０は従来の壁面補強材の連結状態を説明する説明図であり、図１０（ａ）はＵ字状ボルトの取付け状態を、図１０（ｂ）は座金及びナットの取付け状態を、図１０（ｃ）はＵ字状ボルト、座金及びナットの取付け状態を示す拡大斜視図である。
まず、左右の壁面補強部材の網桟Ａと網桟Ｂとの相互間をＵ字状ボルトＣで締め付ける場合、Ｕ字状ボルトＣの開口に網桟Ａと網桟Ｂを入れ、その網桟Ａと網桟ＢをＵ字状ボルトＣの開口とその開口に挿入した座金Ｄとの間で挟み込み、更に、Ｕ字状ボルトＣの両端にナットＥを螺合させ、２個のナットＥの締め付けによってＵ字状ボルトＣと座金Ｄによって左右の壁面補強部材の網桟Ａと網桟Ｂとの相互間を堅固に接続している。
【０００７】
しかし、ワイヤクリップのＵ字状ボルトＣの２個のナットＥを締め付けるには、１個のナットＥを５回転から１０回転させ、結果、両側のナットを１０回転以上回転させる必要性から、その締め付け作業効率が良くなかった。特に、冬季に現場でナットを締め付けるには、夏季に比べて２倍から３倍の作業時間を要していた。また、ワイヤクリップの取付け間隔を密にすると、その取付け作業性の悪さから、人的手当てをしないと、他の作業性とのバランスが維持できないという問題が生じていた。
【０００８】
そこで、本発明は、かかる問題点を解決すべくなされたもので、作業性及び作業効率を良くし、かつ、その施工の際に直線性を出しやすくした壁面補強擁壁材及び壁面補強擁壁材の連結具の提供を課題とするものである。
【課題を解決するための手段】
【０００９】
請求項１の発明の壁面補強擁壁材は、複数層に盛土を積載する網面を形成してなる下面網部と、前記下面網部との間を鋭角の面として立ち上げ、前記盛土がこぼれだすのを防止する網面を形成してなる立ち上げ網部とを具備し、前記下面網部の端部相互間及び立ち上げ網部の端部相互間を連結する前記連結具は、前記下面網部の端部相互間及び立ち上げ網部の端部相互間を重ね合わせた状態で１ターン以上の巻回状態が維持される一端部に形成された巻回保持部及び前記巻回保持部から連続形成し、その他端部が前記網面の網桟に弾性係合するように形成された係止部を有し、全体が弾性体で形成されたものである。
ここで、上記壁面補強擁壁材は、複数層に盛土を積載する網面を形成してなる下面網部と、前記下面網部との間を鋭角の面として立ち上げ、前記盛土がこぼれだすのを防止する網面を形成してなる立ち上げ網部と、前記下面網部の端部相互間及び立ち上げ網部の端部相互間を連結する前記連結具からなるものである。
また、上記下面網部は、複数層に盛土を積載する網面であり、上記立ち上げ網部は前記盛土の正面を覆い、正面から盛土がこぼれだすのを防止する網面である。
そして、上記連結具は、複数層に盛土を積載する面を、網面を形成してなる下面網部の端部相互間、前記下面網部との間を鋭角の面として立ち上げ、前記盛土がこぼれだすのを防止する網面を形成してなる立ち上げ網部の端部相互間とを連結するものであり、更に詳しくは、全体が弾性体で形成された巻回保持部と係止部を有し、前記巻回保持部は、前記下面網部の端部相互間及び立ち上げ網部の端部相互間を重ね合わせた状態で１ターン以上の巻回状態が維持される端部であり、また、前記係止部は、前記巻回保持部から連続形成し、その他端部が前記網面の網桟に弾性係合するように形成されたものである。
【００１０】
請求項２の発明の壁面補強擁壁材の連結具は、複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間とを連結する連結具は、前記下面網部の端部相互間及び立ち上げ網部の端部相互間を重ね合わせた状態で１ターン以上の巻回状態が維持される一端部に形成された巻回保持部及び前記巻回保持部から連続形成し、その他端部が前記網面の網桟に弾性係合するように形成された係止部を有し、全体が弾性体で形成されたものである。
ここで、上記下面網部は、複数層に盛土を積載する盛土を受ける面で、網面で形成されたものである。網としては、エキスパンドメタル、溶接金網、平織金網、菱形金網、亀甲金網等の金網の使用が可能である。
また、上記立ち上げ網部は、前記下面網部との間を鋭角の面として立ち上げ、前記盛土がこぼれだすのを防止する網面、即ち、擁壁面を形成する網面からなり、その態様としては、前記下面網部と前記立ち上げ網部は一体に形成されているものを折曲したものでもよいし、別々に形成し、それを接続したものでもよい。通常、前記下面網部と前記立ち上げ網部の接合している角度は、約９０度以下であり鋭角となっている。
そして、上記連結具は、複数層に盛土を積載する面を、網面を形成してなる下面網部の端部相互間、前記下面網部との間を鋭角の面として立ち上げ、前記盛土がこぼれだすのを防止する網面を形成してなる立ち上げ網部の端部相互間とを連結するものであり、更に詳しくは、全体が弾性体で形成された巻回保持部と係止部を有し、前記巻回保持部は、前記下面網部の端部相互間及び立ち上げ網部の端部相互間を重ね合わせた状態で１ターン以上の巻回状態が維持される端部であり、また、前記係止部は、前記巻回保持部から連続形成し、その他端部が前記網面の網桟に弾性係合するように形成されたものである。
【００１１】
請求項３の発明の壁面補強擁壁材または壁面補強擁壁材の連結具の前記連結具の１ターン以上の巻回状態が維持される一端部に形成された巻回保持部は、そのピッチを前記下面網部の端部相互間または立ち上げ網部の端部相互間の略断面積を収容できる略α状とし、かつ、先端を略クランク状または略コ字状に折曲させたものである。
ここで、上記連結具の１ターン以上の巻回状態が維持される一端部に形成された巻回保持部は、略α状とし、前記下面網部の端部相互間と前記立ち上げ網部の端部相互間の重なりに対して、略α状のピッチ間で簡単に嵌め込んで、その角度の違いによって拘束する構造としたものである。また、前記網面の網桟に弾性係合する先端は、略クランク状または略コ字状に折曲させ、前記網面の網桟に弾性係合させるものである。
【００１２】
請求項４の発明の壁面補強擁壁材または壁面補強擁壁材の連結具の前記連結具の前記網面の網桟に弾性係合するように形成された係止部は、略クランク状または略コ字状に折曲させたものである。
ここで、上記係止部は、略クランク状または略コ字状に折曲させ、前記網面の網桟に弾接したとき、外力によって容易に移動しない程度に弾接させるものである。
【００１３】
請求項５の発明の壁面補強擁壁材または壁面補強擁壁材の連結具の前記連結具の１ターン以上の巻回状態が維持される一端部に形成された略α状の巻回保持部は、１ターン以上、２ターン以下としたものである。
ここで、上記連結具の１ターン以上の巻回状態が維持される一端部に形成された巻回保持部は、略α状の１ターン以上、２ターン以下とし、前記下面網部の端部相互間と前記立ち上げ網部の端部相互間の重なりに対して、略α状のピッチ間で簡単に嵌め込んで、その角度の違いによって、または略α状のピッチ間で簡単に嵌め込んで、回転させて、その角度の違いによって拘束する構造としたものである。
【００１４】
請求項６の発明の壁面補強擁壁材または壁面補強擁壁材の連結具は、複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間、下側の立ち上げ網部と上側の立ち上げ網部の網桟相互間とを単一の形状で接続するものである。
ここで、前記下面網部の端部相互間、前記立ち上げ網部の端部相互間、下側の立ち上げ網部と上側の立ち上げ網部の網桟相互間とを単一の連結具で接続するとは、エキスパンドメタル、溶接金網、平織金網、菱形金網、亀甲金網等の金網の網目形状、網桟の形状、連結具の形状によって決定されるものである。本発明を実施する場合には、何れを採用しても良い。
【００１５】
請求項７の発明の壁面補強擁壁材または壁面補強擁壁材の連結具は、全体を丸線材、角線材、平線材の何れか１つとしたものである。
ここで、連結具の全体を丸線材、角線材、平線材の何れか１つとしたものでは、その特性に合った弾性力が得られ、外力で容易に外れない接続構造とすることができる。
【発明の効果】
【００１６】
請求項１の壁面補強擁壁材は、複数層に盛土を積載する網面を形成してなる下面網部と、前記下面網部との間を鋭角の面として立ち上げ、前記盛土がこぼれだすのを防止する網面を形成してなる立ち上げ網部と、前記下面網部の端部相互間及び立ち上げ網部の端部相互間を連結する前記連結具とを具備し、前記連結具は、前記下面網部の端部相互間及び立ち上げ網部の端部相互間を重ね合わせた状態で１ターン以上の巻回状態が維持される一端部に形成された巻回保持部及び前記巻回保持部から連続形成し、その他端部が前記網面の網桟に弾性係合するように形成された係止部を有し、全体が弾性体で形成されたものである。
したがって、連結具の巻回保持部によって１ターン以上の巻回状態のピッチ間に、前記下面網部の端部相互間及び前記立ち上げ網部の端部相互間を挿入し、それを回動し、前記網面の網桟に係止部を弾性係合することができる。そして、前記連結具を解除する場合には、前記係止部の弾性係合を解き、それを回動し、巻回保持部のピッチ間から前記下面網部の端部相互間及び前記立ち上げ網部の端部相互間を離すことができる。また、前記下面網部の端部相互間及び前記立ち上げ網部の端部相互間のガタツキが、巻回保持部の１ターンの巻回径内に限られるから、前記下面網部及び前記立ち上げ網部の直線性が出しやすい。
よって、前記下面網部の端部相互間及び前記立ち上げ網部の端部相互間の連結の作業性及び作業効率を良くし、かつ、その施工の際に前記下面網部及び前記立ち上げ網部の直線性を出しやすくできる。
【００１７】
請求項２の壁面補強擁壁材の連結具は、複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間とを、前記下面網部の端部相互間及び前記立ち上げ網部の端部相互間が重ね合わせられた状態で、連結具の巻回保持部によって１ターン以上の巻回状態で下面網部の端部相互間または立ち上げ網部の端部相互間を拘束し、更に、前記巻回保持部が移動しないように、前記網面の網桟に係止部を弾性係合したものである。
したがって、連結具の巻回保持部によって１ターン以上の巻回状態のピッチ間に、前記下面網部の端部相互間及び前記立ち上げ網部の端部相互間を挿入し、それを回動し、前記網面の網桟に係止部を弾性係合することができる。そして、前記連結具を解除する場合には、前記係止部の弾性係合を解き、それを回動し、巻回保持部のピッチ間から前記下面網部の端部相互間及び前記立ち上げ網部の端部相互間を離すことができる。また、前記下面網部の端部相互間及び前記立ち上げ網部の端部相互間のガタツキが、巻回保持部の１ターンの巻回径内に限られ、前記下面網部及び前記立ち上げ網部の直線性が出しやすい。
よって、前記下面網部の端部相互間及び前記立ち上げ網部の端部相互間の連結の作業性及び作業効率を良くし、かつ、その施工の際に前記下面網部及び前記立ち上げ網部の直線性を出しやすくしたものである。
【００１８】
請求項３の壁面補強擁壁材または壁面補強擁壁材の連結具の１ターン以上の巻回状態が維持される一端部に形成された巻回保持部は、そのピッチを前記下面網部の端部相互間または立ち上げ網部の端部相互間の略断面積を収容できる略α状とし、かつ、先端を略クランク状または略コ字状に折曲させたものであるから、請求項１または請求項２に記載の効果に加えて、端部相互間の重なりに対して略α状のピッチ間で簡単に嵌め込んで、その角度の違いによって拘束する構造としたものであり、かつ、先端を略クランク状または略コ字状に折曲させ、前記網面の網桟に弾接したとき、外力によって容易に移動しない程度に弾接させることができ、施工現場で組み付け後に移動させても、容易に連結箇所が外れることがない。
【００１９】
請求項４の壁面補強擁壁材または壁面補強擁壁材の連結具の前記網面の網桟に弾性係合するように形成された係止部は、略クランク状または略コ字状に折曲させたものであるから、請求項１乃至請求項３の何れか１つに記載の効果に加えて、前記網面の網桟に弾接したとき、外力によって容易に移動しない程度に弾接させることができ、施工現場で組み付け後に移動させても、容易に連結箇所が外れることがない。
【００２０】
請求項５の壁面補強擁壁材または壁面補強擁壁材の連結具の１ターン以上の巻回状態が維持される一端部に形成された略α状の巻回保持部は、１ターン以上、２ターン以下としたものであるから、請求項３または請求項４の何れかに記載の効果に加えて、巻回保持部の巻き数が多くなるにしたがって、相互間の結合を堅固なものとすることができ、かつ、その取付け安定性をよくすることができる。
【００２１】
請求項６の壁面補強擁壁材または壁面補強擁壁材の連結具は、複数層に盛土を積載する網面を形成してなる下面網部の端部相互間、前記下面網部との間を鋭角の面として立ち上げ、前記盛土がこぼれだすのを防止する網面を形成してなる立ち上げ網部の端部相互間、下側の立ち上げ網部と上側の立ち上げ網部の網桟相互間とを単一の形状で接続するものであるから、請求項１乃至請求項５の何れか１つに記載の効果に加えて、１種類の連結具を用意しておけば、一切の擁壁工事を行うことができ、作業性を挙げることができる。
【００２２】
請求項７の壁面補強擁壁材または壁面補強擁壁材の連結具は、全体を丸線材、角線材、平線材の何れか１つとしたものであるから、請求項１乃至請求項６の何れか１つに記載の効果に加えて、網桟の形状によって連結具の形状を特定することによって一度組み付けたら容易に外れることのない連結が可能となり、外力によって容易に移動しない程度に弾接させることができ、施工現場で組み付け後に移動させても、容易に連結箇所が外れることがない。
【発明を実施するための最良の形態】
【００２３】
以下、本発明の実施の形態に係る壁面補強擁壁材の連結具について、図面を参照しながら説明する。なお、実施の形態において、同一の記号及び同一の符号は同一または相当する部分を意味し、実施の形態相互の同一の記号及び同一の符号は、それら実施の形態に共通する部分であるから、ここでは重複する詳細な説明を省略する。
【００２４】
まず、本発明の実施の形態に係る壁面補強擁壁材の連結具について、図を参照して説明する。
図１は本発明の実施の形態に係る壁面補強擁壁材の全体の概略構成図であり、図２は本発明の実施の形態に係る壁面補強擁壁材の施工状態の要部断面図である。また、図３は本発明の実施の形態に係る壁面補強擁壁材で使用する網面を示す要部構成図である。図４は本発明の実施の形態に係る壁面補強擁壁材の連結具を示す平面図（ａ）及び正面図（ｂ）である。図５は本発明の実施の形態に係る壁面補強擁壁材とその連結具を示す斜視図、図６は本発明の実施の形態に係る壁面補強擁壁材の連結具による連結を説明する連結初期の図（ａ）及び連結回動時の図（ｂ）及び係止状態の図（ｃ）である。図７は本発明の実施の形態に係る壁面補強擁壁材の連結具を示すもので、上側の立ち上げ網部と下側の立ち上げ網部の網桟相互の連結を説明する連結初期の図（ａ）及び連結回動時の図（ｂ）及び係止状態の図（ｃ）である。図８は本発明の実施の形態に係る壁面補強擁壁材の連結具の変形例を示す平面図（ａ）及び正面図（ｂ）である。そして、図９は本発明の実施の形態に係る壁面補強擁壁材の施工状態を示す断面図である。
【００２５】
図において、下面網部１０は、複数層に盛土を積載する面を、網面として形成した部分である。また、下面網部１０との間の角度を９０度よりも角度の小さい鋭角θとした面として立ち上げ、盛土がこぼれだすのを防止する網面を形成してなる立ち上げ網部２０は、下面網部１０と連続して形成した網を折曲することによって形成している。下面網部１０と立ち上げ網部２０との角度θは、施工する法面の角度θによって決定される角度であり、通常では９０度以下の８０度乃至６０度程度の範囲が選択される。しかし、補強箇所の状況によって同一法面の補強箇所でも、位置によっては８０度としたり、６０度としたり、特に、立ち上げ網部２０は部分的に湾曲させたりする場合がある。したがって、下面網部１０と立ち上げ網部２０との角度は、通常ではθ＝９０度以下であり、θ＝３０度以上の形態として使用され、それらの幅も５０ｃｍから２００ｃｍの範囲内として使用され、通常は、金属網の規格に基づき設定される。なお、下面網部１０には、合成樹脂等で形成した網目状地盤補強部材７０が下面網部１０に連結して使用される。
【００２６】
本実施の形態の下面網部１０と立ち上げ網部２０との角度は、一枚ものの網を折曲して形成したものであるが、本発明を実施する場合には、下面網部１０と立ち上げ網部２０とを切断した網として使用することもできる。この場合にも、本実施の形態の連結具４０を使用することができる。勿論、他の接続手段の使用が可能であり、また、通常、一枚ものの網を折曲して形成されるものであるから、その説明を省略する。
網としては、溶接金網、平織金網、菱形金網、亀甲金網等を使用することができ、図３に示すエキスパンドメタル１は機械的強度が高く、安定した形態を維持しやすい。菱形金網２、亀甲金網３を使用すると柔軟性が高く、法面の形状によって適宜選択することができる。
【００２７】
因みに、図３（ａ）に示すエキスパンドメタル１の網桟材の断面は約５ｍｍ□（角）で、その菱形の開口は縦方向Ｌｙが約１５０ｍｍ、横方向Ｌxが約５０ｍｍである。図３（ｂ）に示す菱形金網２は線径が約４ｍｍで菱形の開口は、縦方向Ｌｙが約８０ｍｍ、横方向Ｌxが約１６０ｍｍである。また、図３（ｃ）に示す亀甲金網３は線径が約４ｍｍ、その開口は縦方向Ｌｙが約８０ｍｍ、横方向Ｌxが約４０ｍｍである。
ここで、網を形成する線径、その網目の開口は、必要強度等に応じて網の商品規格に従って、任意に変更できる。また、開口の縦方向、横方向の長さも任意に設定できる。
【００２８】
また、網としての網目の開口を形成する網桟の断面は、柔軟性や経済性から通常約８ｍｍ角または直径約８ｍｍ以下、好ましくは直径約５ｍｍ角以下、約１．５ｍｍ角以上であり、その網目は、耐久性や土砂のこぼれ落ち、植栽の面から約１２０ｍｍ以下とすることがよい。材質的には、塩化ビニル被覆鉄線、亜鉛メッキ鉄線、着色塗装亜鉛メッキ鉄線、溶融アルミニウムメッキ鉄線、亜鉛アルミニウム合金メッキ鉄線、高強度ＰＶＣ被覆特殊鉄線があり、必要に応じて選択される。本実施の形態では溶融アルミニウムメッキのエキスパンドメタル１を使用している。なお、土砂のこぼれ落ちについては、図示では省略しているが、芝等の種を入れた植生シートが使用され、網目が直接土砂のこぼれを防止するものではない。
【００２９】
このように、網としては、エキスパンドメタル１、菱形金網２、亀甲金網３、溶接金網、平織金網等が使用でき、特に、線材の交差部分を複数回ねじり合わせた菱形金網２、亀甲金網３としてもよい。但し、菱形金網２、亀甲金網３は、線材の交差部分がねじり合わせ状に接続されているので、線材の交差部分が容易に変形でき柔軟性があるので、本発明を実施する場合には、柔軟性をできるだけださない構造とする必要がある。
【００３０】
本実施の形態としての下面網部１０と立ち上げ網部２０との角度の維持は、図２に示すように、フック金具３０に委ねられている。フック金具３０は両端がＵ（Ｊ）字状に湾曲形成されており、Ｕ（Ｊ）字状の端部が下面網部１０と立ち上げ網部２０の網桟に接続されている。このフック金具３０は、図９に示すように、下面網部１０と立ち上げ網部２０との角度内に土砂５０を入れると立ち上げ網部２０の角度が直角方向に回動する傾向にある。したがって、フック金具３０は両端がＵ（Ｊ）字状に湾曲形成されており、両端でその角度の広がりを防止することができる。
このフック金具３０は下面網部１０と立ち上げ網部２０との横方向に対して、５０〜２００ｃｍの間隔毎に１本配設している。
【００３１】
下面網部１０と立ち上げ網部２０との角度の維持はフック金具３０で行われ、側面から見ると、三角形を呈するので、機械的強度の高い形状保持が可能となる。このように、形状が保持された下面網部１０と立ち上げ網部２０及びフック金具３０によって形成された金属製の壁面補強擁壁材は、下面網部１０と立ち上げ網部２０の横方向に連結延長することによって立ち上げ網部２０の高さの所定の幅の法面を形成することができる。
また、立ち上げ網部２０の高さ方向には、立ち上げ網部２０の端部と、下面網部１０と立ち上げ網部２０との折曲部とを接続することにより、所定の高さとすることができる。
【００３２】
次に、立ち上げ網部２０の横方向の接続、下面網部１０の横方向の接続、立ち上げ網部２０の縦方向の接続について、図４乃至図７を用いて説明する。
全体が弾性体の線材で形成された連結具４０は、直線状の本体部４１、略α状に巻回した１ターン以上の巻回状態が維持される一端部に形成された巻回保持部４３、その巻回保持部４３から連続形成し、その他端部が網面、例えば、エキスパンドメタル１の網桟ｄに弾性係合するように形成された係止部４２を有している。
【００３３】
全体が弾性体の線材で形成された連結具４０は、本実施の形態では断面略円形の丸線材を使用しているが、本発明を実施する場合には、断面略正方形の角線材、断面略長方形の平線材とすることもできる。前記巻回保持部４３と係止部４２の形成方法によっては、これら角線材、平線材の方が取付け安定性のよい場合がある。
巻回保持部４３は、図４に示すように、その直径が下面網部１０の端部相互間及び／または立ち上げ網部２０の端部相互間の端部の網桟ａ及び網桟ｂを重ね合わせた状態でガタツキが若干存在する程度の直径Ｒに設定される。即ち、下面網部１０の端部相互間、立ち上げ網部２０の端部相互間の網桟ａ及び網桟ｂの断面積の対角線をその内径以下とするものである。
【００３４】
また、巻回保持部４３の略α状に巻回したピッチＰは、下面網部１０の端部相互間及び／または立ち上げ網部２０の端部相互間の幅またはそれよりも若干狭く設定される。したがって、下面網部１０の端部相互間及び／または立ち上げ網部２０の端部相互間にピッチＰを宛がい、外力を加えると、下面網部１０の端部相互間、立ち上げ網部２０の端部相互間に挿入されることとなる。
【００３５】
そして、係止部４２は巻回保持部４３から直線状の本体部４１を経て連続形成し、その他端部が網面の網桟Ｃに弾性係合するように形成されている。即ち、係止部４２が直線であると、網桟に接触した状態で振動を与えると移動することになる。そこで、本実施の形態では、クランク状に折曲し、移動止めとして機能させている。また、本実施の形態では、係止部４２がクランク状に折曲したものであるが、本発明を実施する場合には、係止部４２をコ字状とし、網面の網桟がその間に入り込むようにすることも、そして、Ｌ字状として形成することもできる。いずれにせよ、係止部４２は網面の網桟に弾性係合するように形成されておればよい。
【００３６】
次に、壁面補強擁壁材の連結具４０の使用方法について説明する。
図６のように、下面網部１０の端部相互間、立ち上げ網部２０の端部相互間の最外郭の網の網桟ａと反対側の最外郭の網の網桟ｂに対して互いに当接させ、最外郭の網の網桟ａと反対側の最外郭の網の網桟ｂからなる端部相互間にピッチＰを宛がい、外力を加え、下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間に挿入されることとなる。
【００３７】
この直線状の本体部４１を下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間を巻回保持部４３が保持し、その保持された平面に対して略９０度に立っていた直線状の本体部４１を当該平面方向に倒し、そして、当該平面に沿って９０度以上ピッチＰの弾性に抗して回動させる。連結具４０は３次元空間を回動することになる。即ち、最外郭の網の網桟ａと反対側の最外郭の網の網桟ｂからなる端部相互間を巻回保持部４３の１ターン以上の巻回状態に巻き込み、その状態で更に直線状の本体部４１の弾性領域内とし、その直線状の本体部４１が他の網桟、同一網目の隣接する網桟ｃに本体部４１が当接した状態で、湾曲させ、湾曲させた状態で、係止部４２を隣接する網面の網桟ｄに弾性係合させる。
【００３８】
この状態では、本体部４１が下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間の作る面に沿って、連結具４０が巻回保持部４３と係止部４２との間の網桟ｃで弾接され、湾曲した変位となり、弾接結合し、連結具４０が下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間を一体に接続する。
【００３９】
このように連結具４０を複数使用し、下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間を接続すれば、下面網部１０の最外郭の網の網桟ａと反対側の最外郭の網の網桟ｂとの接続により、立ち上げ網部２０の最外郭の網の網桟ａと反対側の最外郭の網の網桟ｂとの接続により、下面網部１０相互間が平面的に接続され、また、立ち上げ網部２０相互間が平面的に接続され、下面網部１０及び立ち上げ網部２０の横方向の接続が完了する。
【００４０】
更に、上側の立ち上げ網部２０’と下側の立ち上げ網部２０の間は、図２及び図７に示すように、例えば、下側の立ち上げ網部２０の内側に上側の積載した立ち上げ網部２０’を配置し、上側の立ち上げ網部２０’と下側の立ち上げ網部２０の網桟が、網目の４辺の網桟が合致するように接触させ、下側の立ち上げ網部２０の網の網桟と上側の立ち上げ網部２０’の網の網桟を互いに当接させ、網の網桟相互間に巻回保持部４３のピッチＰの開口を宛がい、外力を加え、上側の立ち上げ網部２０’と下側の立ち上げ網部２０の網桟相互間に挿入される。
【００４１】
この直線状の本体部４１を上側の立ち上げ網部２０’と下側の立ち上げ網部２０の網桟相互間を巻回保持部４３が上側の立ち上げ網部２０’と下側の立ち上げ網部２０の網桟ｇを保持し、その保持された上側の立ち上げ網部２０’と下側の立ち上げ網部２０の面に対して略９０度以下に立っていた直線状の本体部４１を当該平面方向に倒し、そして、当該平面に沿って９０度以上弾性に抗して回動させる。連結具４０は３次元空間を回動することになる。即ち、上側の立ち上げ網部２０’と下側の立ち上げ網部２０の網桟相互間を巻回保持部４３の１ターン以上の巻回状態に巻き込み、その状態で更に直線状の本体部４１の弾性領域内とし、その直線状の本体部４１が対向する網桟ｈに本体部４１が当接した状態で、湾曲させ、湾曲させた状態で、係止部４２を網桟ｉに弾性係合させる。
【００４２】
このようにして、本実施の形態の連結具４０は、この直線状の本体部４１を下面網部１０の網桟ｇからなる端部相互間、立ち上げ網部２０の最外郭の網の網桟ａと反対側の最外郭の網の網桟ｂからなる端部相互間、上側の立ち上げ網部２０’と下側の立ち上げ網部２０の網桟相互間を接続し、一体化することができる。
そして、図９に示すように、下面網部１０と立ち上げ網部２０との角度内に土砂５０を入れ、フック金具３０は両端でその角度の広がりを防止することができ、擁壁とすることができる。なお、図９において、植物８０は図示しない植生シート等から発芽した芝等を示すものである。
【００４３】
しかし、本実施の形態の連結具４０は、網、例えば、エキスパンドメタル１の網桟材の開口は縦方向Ｌｙ、横方向Ｌxが特定の関係にあるときには、この直線状の本体部４１を下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間と、上側の立ち上げ網部２０’と下側の立ち上げ網部２０の網桟ｇ相互間との接続を単一の連結具４０ではできないことがある。
【００４４】
この場合には、直線状の本体部４１を下面網部１０の最外郭の網の網桟ａと反対側の最外郭の網の網桟ｂからなる端部相互間、立ち上げ網部２０の最外郭の網の網桟ａと反対側の最外郭の網の網桟ｂからなる端部相互間を接続する連結具４０と、上側の立ち上げ網部２０’と下側の立ち上げ網部２０の網桟相互間との接続を行う連結具４０の本体部４１の長さの違うものを形成する必要がある場合もある。
また、図８に示すように、係止部４２の係止構造のみならず、係止端部４２ａとして、網桟と係合できる構造を設け、巻回保持部４３の端部にも係止構造を係止端部４３ａとして設けると、取付け安定性を増すことができる。
【００４５】
本実施の形態の壁面補強擁壁材は、複数層に盛土を積載する網面を形成してなる下面網部１０と、下面網部１０との間を鋭角θの面として立ち上げ、盛土がこぼれだすのを防止する網面を形成してなる立ち上げ網部２０と、下面網部１０の端部相互間及び立ち上げ網部の端部相互間を連結する連結具４０とを具備し、その連結具４０は、下面網部１０の端部相互間及び立ち上げ網部２０の端部相互間を重ね合わせた状態で１ターン以上の巻回状態が維持される一端部に形成された巻回保持部４３及び巻回保持部４３から連続形成し、その他端部が網面の網桟に弾性係合するように形成された係止部４２を有し、全体が弾性体で形成されたものである。
【００４６】
したがって、連結具４０の巻回保持部４３によって１ターン以上の巻回状態のピッチＰ間に、下面網部１０の端部相互間及び立ち上げ網部２０の端部相互間を挿入し、それを略９０度回動し、網面の網桟に係止部４２を弾性係合することができる。そして、連結具４０を解除する場合には、係止部４２の弾性係合を解き、それを略９０度回動し、巻回保持部４３のピッチＰ間から下面網部１０の端部相互間及び立ち上げ網部２０の端部相互間を離すことができる。また、下面網部１０の端部相互間及び立ち上げ網部２０の端部相互間のガタツキが、巻回保持部４３の１ターンの巻回径内に限られるから、下面網部１０及び立ち上げ網部２０の直線性が出しやすい。
よって、下面網部１０の端部相互間及び立ち上げ網部２０の端部相互間の連結の作業性及び作業効率を良くし、かつ、その施工の際に下面網部１０及び立ち上げ網部２０の直線性を出しやすくしたものである。
【００４７】
また、本実施の形態の壁面補強擁壁材の連結具４０は、複数層に盛土を積載する面を、網面を形成してなる下面網部１０の端部相互間、下面網部１０との間を鋭角θの面として立ち上げ、盛土がこぼれだすのを防止する網面を形成してなる立ち上げ網部２０の端部相互間とを、下面網部１０の端部相互間及び立ち上げ網部２０の端部相互間が重ね合わせられた状態で、連結具４０の巻回保持部４３によって１ターン以上の巻回状態で下面網部１０の端部相互間または立ち上げ網部２０の端部相互間を拘束し、更に、巻回保持部４３が移動しないように、網面の網桟に係止部４２を弾性係合したものである。
【００４８】
したがって、連結具４０の巻回保持部４３によって１ターン以上の巻回状態のピッチＰ間に、下面網部１０の端部相互間及び立ち上げ網部２０の端部相互間を挿入し、それを略９０度回動し、網面の網桟に係止部４２を弾性係合することができる。そして、連結具４０を解除する場合には、係止部４２の弾性係合を解き、それを略９０度回動し、巻回保持部４３のピッチＰ間から下面網部１０の端部相互間及び立ち上げ網部２０の端部相互間を離すことができる。また、下面網部１０の端部相互間及び立ち上げ網部２０の端部相互間のガタツキが、巻回保持部４３の１ターンの巻回径内に限られるから、下面網部１０及び立ち上げ網部２０の直線性が出しやすい。
よって、下面網部１０の端部相互間及び立ち上げ網部２０の端部相互間の連結の作業性及び作業効率を良くし、かつ、その施工の際に下面網部１０及び立ち上げ網部２０の直線性を出しやすくしたものである。
【００４９】
このように、上記実施の形態の壁面補強擁壁材は、複数層に盛土を積載する網面を形成してなる下面網部１０と、下面網部１０との間を鋭角θの面として立ち上げ、盛土がこぼれだすのを防止する網面を形成してなる立ち上げ網部２０と、下面網部１０の端部相互間及び立ち上げ網部２０の端部相互間を連結する連結具４０からなるものである。また、下面網部１０は、複数層に盛土を積載する網面であり、立ち上げ網部２０は盛土がこぼれだすのを防止する網面である。
【００５０】
そして、連結具４０は、複数層に盛土を積載する面を、網面を形成してなる下面網部１０の端部相互間、下面網部１０との間を鋭角の面として立ち上げ、盛土がこぼれだすのを防止する網面を形成してなる立ち上げ網部２０の端部相互間とを連結するものであり、詳しくは、全体が弾性体で形成された巻回保持部４３と係止部４２を有し、巻回保持部４３は、下面網部１０の端部相互間及び立ち上げ網部２０の端部相互間を重ね合わせた状態で１ターン以上の巻回状態が維持される端部であり、また、係止部４２は、巻回保持部４３から連続形成し、その他端部が前記網面の網桟に弾性係合するように形成されたものである。
【００５１】
また、上記実施の形態の壁面補強擁壁材の連結具４０は、複数層に盛土を積載する面を、網面を形成してなる下面網部１０の端部相互間、下面網部１０との間を鋭角θの面として立ち上げ、盛土がこぼれだすのを防止する網面を形成してなる立ち上げ網部の端部相互間とを連結する連結具４０は、下面網部１０の端部相互間及び立ち上げ網部２０の端部相互間を重ね合わせた状態で１ターン以上の巻回状態が維持される一端部に形成された巻回保持部４３及び巻回保持部４３から連続形成し、その他端部が網面の網桟に弾性係合するように形成された係止部４２を有し、全体が弾性体で形成されたものである。
【００５２】
ここで、下面網部１０は、複数層に盛土を積載する盛土を受ける面で、網面で形成されたものである。網としては、エキスパンドメタル１、菱形金網２、亀甲金網３、溶接金網、平織金網等の使用が可能である。また、立ち上げ網部２０は、下面網部１０との間を鋭角の面として立ち上げ、盛土がこぼれだすのを防止する網面、即ち、擁壁面を形成する網面からなり、その態様としては、下面網部１０と立ち上げ網部２０は一体に形成されているものを折曲したものでもよいし、別々に形成し、それを接続したものでもよい。通常、下面網部１０と立ち上げ網部２０の接合している角度θは、９０度以下であり鋭角となっている。
【００５３】
特に、連結具４０は、複数層に盛土を積載する面を、網面を形成してなる下面網部１０の端部相互間、下面網部１０との間を鋭角θの面として立ち上げ、前記盛土がこぼれだすのを防止する網面を形成してなる立ち上げ網部２０の端部相互間とを連結するものであり、更に詳しくは、全体が弾性体で形成された巻回保持部４３と係止部４２を有し、巻回保持部４３は、下面網部１０の端部相互間及び立ち上げ網部２０の端部相互間を重ね合わせた状態で１ターン以上の巻回状態が維持される端部であり、また、係止部４２は、巻回保持部４３から連続形成し、その他端部が網面の網桟に弾性係合するように形成されたものである。
【００５４】
そして、本実施の形態の壁面補強擁壁材または壁面補強擁壁材の連結具４０は、連結具４０の１ターン以上の巻回状態が維持される一端部に形成された巻回保持部４３は、そのピッチＰを下面網部１０の端部相互間または立ち上げ網部２０の端部相互間の略間隔としてなる略α状とし、網面の網桟に弾性係合するように形成された係止部４２は略クランク状または略コ字状に折曲させた実施例とすることができる。
したがって、端部相互間の重なりに対して略α状のピッチＰ間で簡単に嵌め込んで、その角度の違いによって拘束する構造としたこととなり、また、前記網面の網桟に弾性係合するように形成された係止部４２は、略クランク状または略コ字状に折曲させることによって、網面の網桟に弾接したとき、外力によって容易に移動しない程度に弾接させることができ、施工現場で組み付け後に移動させても、容易に連結箇所が外れることがない。
【００５５】
更に、本実施の形態の前記連結具４０の１ターン以上の巻回状態が維持される一端部に形成された略α状の巻回保持部４３は、１ターン以上、２ターン以下としたものであるから、巻回保持部４３の巻き数が多くなるにしたがって、相互間の結合を堅固なものとすることができ、かつ、その取付け安定性をよくすることができる。
特に、１ターン以上、２ターン以下であれば、巻回保持部４３の巻き回数に影響されることなく噛み合せが容易であり、容易に網桟から離脱できなくなる。しかし、２ターン以上の巻回では、網桟を軸に回転させなければならなくなり、作業効率が低下する。
【００５６】
なお、略α状の巻回保持部４３の連結位置は、上記実施の形態で示した位置に限定されるものではなく、網桟の何れの位置に配設してもよい。結果的に、安定した接続状態が維持できるものであれば良い。
【図面の簡単な説明】
【００５７】
【図１】図１は本発明の実施の形態に係る壁面補強擁壁材の全体の概略構成図である。
【図２】図２は本発明の実施の形態に係る壁面補強擁壁材の施工状態の要部断面図である。
【図３】図３は本発明の実施の形態に係る壁面補強擁壁材で使用する網面を示す要部構成図である。
【図４】図４は本発明の実施の形態に係る壁面補強擁壁材の連結具を示す平面図（ａ）及び正面図（ｂ）である。
【図５】図５は本発明の実施の形態に係る壁面補強擁壁材とその連結具を示す斜視図である。
【図６】図６は本発明の実施の形態に係る壁面補強擁壁材の連結具による連結を説明する連結初期の図（ａ）及び連結回動時の図（ｂ）及び係止状態の図（ｃ）である。
【図７】図７は本発明の実施の形態に係る壁面補強擁壁材の連結具を示すものである。
【図８】図８は本発明の実施の形態に係る壁面補強擁壁材の連結具の変形例を示す平面図（ａ）及び正面図（ｂ）である。
【図９】図９は本発明の実施の形態に係る壁面補強擁壁材の施工状態を示す断面図である。
【図１０】図１０は従来の壁面補強材の連結状態を説明する説明図で、（ａ）はＵ字状ボルトの取付け状態を、（ｂ）は座金及びナットの取付け状態を、（ｃ）はＵ字状ボルト、座金及びナットの取付け状態を示す拡大斜視図である。
【符号の説明】
【００５８】
１０，１０’    下面網部
２０，２０’    立ち上げ網部
３０，３０’    フック金具
４０    連結具
４１    本体部
４２    係止部
４３    巻回保持部
ａ，ｂ，ｃ，ｄ，ｇ，ｈ，ｉ    網桟
Ｐ    ピッチ
【図１】
2010121309.tif 000003
【図２】
2010121309.tif 000004
【図３】
2010121309.tif 000005
【図４】
2010121309.tif 000006
【図５】
2010121309.tif 000007
【図６】
2010121309.tif 000008
【図７】
2010121309.tif 000009
【図８】
2010121309.tif 000010
【図９】
2010121309.tif 000011
【図１０】
2010121309.tif 000012